(57)【要約】【課題】移動通信端末により国際ローミングを利用する際に、ローミング網の選択を迅速に行えるようにする。【解決手段】移動通信端末１は、ホーム事業者が提携するローミング事業者に対する識別情報およびエリア情報およびサービス情報を含むローミング網情報と、ローミング網の選択に対するユーザ要求を記憶している。移動通信端末１はGPS衛星５からの電波を受信して自身の位置情報を取得し、その位置情報と記憶しているローミング網情報をもとにローミング網４を選択する。【選択図】図１
2013197729.tif 000002
【特許請求の範囲】
【請求項１】
国際ローミングを利用可能な移動通信端末であって、
基地局を介さずに自身の位置情報を取得する位置情報取得手段と、
ホーム事業者が提携するローミング事業者のエリア情報を含むローミング網情報を記憶するローミング網情報記憶手段と、
前記位置情報取得手段により取得された位置情報、および前記ローミング網情報記憶手段に記憶されているエリア情報をもとにローミング網を選択するローミング網選択手段と、
を備える移動通信端末。
【請求項２】
請求項１に記載された移動通信端末において、
ローミング網の選択に対するユーザ要求を記憶するユーザ要求記憶手段を備え、
前記ローミング網情報はローミング事業者のサービス情報を有し、
前記位置情報取得手段により取得された位置情報が示すエリアに複数のローミング網が存在する場合、前記ローミング網選択手段は、前記サービス情報と前記ユーザ要求をもとにローミング網を選択する移動通信端末。
【請求項３】
請求項２に記載された移動通信端末において、
ユーザ要求の更新指示に応じて、前記ユーザ要求記憶手段に記憶されているユーザ要求を更新する手段を備える移動通信端末。
【請求項４】
請求項１に記載された移動通信端末において、
ホーム網のローミング管理サーバから、前記ローミング網情報を取得するローミング網情報取得手段を備える移動通信端末。
【請求項５】
請求項４に記載された移動通信端末において、
前記ローミング網情報取得手段は、ユーザの取得指示に応じて、ローミング網情報を取得する移動通信端末。
【請求項６】
請求項４に記載された移動通信端末において、
前記ローミング網情報取得手段は、前記ローミング管理サーバからローミング網情報の更新通知の受信に応じて、ローミング網情報を取得する移動通信端末。
【請求項７】
請求項１に記載された移動通信端末において、
前記ローミング網選択手段により選択されたローミング網のローミング網情報を出力する手段を備える移動通信端末。
【請求項８】
国際ローミングの提供を行うためのローミング網情報を管理するローミング管理サーバであって、
ローミング網情報を記憶するローミング網情報記憶手段と、
移動通信端末からのローミング網情報取得要求の受信に応じて、前記ローミング網情報記憶手段に記憶されているローミング網情報を前記移動通信端末に送信する手段と、
を備えるローミング管理サーバ。
【請求項９】
請求項８に記載されたローミング管理サーバにおいて、
前記ローミング網情報が更新されたとき、前記移動通信端末に更新通知を送信する手段を備えるローミング管理サーバ。
【請求項１０】
国際ローミングを利用可能な移動通信端末がローミング網を選択するローミング網選択方法であって、
前記移動通信端末が基地局を介さずに自身の位置情報を取得する位置情報取得工程と、
前記位置情報取得工程で取得された位置情報、および予め記憶しておいたホーム事業者が提携するローミング事業者のエリア情報をもとに、ローミング網を選択するローミング網選択工程と、
を備えるローミング網選択方法。
【発明の詳細な説明】
【技術分野】
【０００１】
本発明は移動通信端末、ローミング管理サーバ、およびローミング網選択方法に関する。
【背景技術】
【０００２】
移動通信システムの標準化およびそれに伴う標準規格に準拠した移動通信端末の普及と通信事業者間での提携により、近年国際ローミングを利用するユーザが増えている。国際ローミングを利用すると、ユーザは、契約している通信事業者（以下、ホーム事業者）の移動通信網（以下、ホーム網）の存在する第１国とは異なる第２国のローミング提携先の通信事業者（以下、ローミング事業者）の移動通信網（以下、ローミング網）を経由して、ユーザがホーム事業者と契約するサービスを受けることができる。
【０００３】
そして、ローミングを行う場合、移動通信端末は、ホーム事業者に割り当てられた周波数の他にローミング事業者に割り当てられた周波数をスキャンし、接続可能なローミング網をまず検出する。そして、複数のローミング網が検出された場合、自動選択と手動選択のどちらかの選択方法により使用するローミング網の選択を行う。自動選択では、標準規格で定められた優先順位決定方法に従って自動的に使用するローミング網の選択を行う。手動選択では、ユーザが手動で使用するローミング網の選択を行う。
【０００４】
しかし、今までの移動通信端末では、ユーザが第２国にいるにも関わらずホーム事業者に割り当てられた周波数をスキャンする。また、複数のローミング事業者が存在する場合、スキャンすべき回数が多くなる。よって、接続完了状態になるまでに時間がかかるという問題がある。
【０００５】
また、場合によってはユーザが意図しないローミング網を選択してしまうということもある。近年、ホーム事業者が提供するサービスとして海外向けパケット通信料定額制サービスがある。これは、国際ローミングにおいて、ホーム事業者が海外向けパケット通信料定額制サービスの提携を行っているローミング事業者を介するとパケット通信料が定額制となるサービスである。よって、海外向けパケット通信料定額制サービスの適用対象となるローミング事業者によるローミング網を選ばず、異なるローミング網を自動的に選択してしまった場合、パケット通信料が高くなってしまうという問題がある。
【０００６】
このローミング網の選択方法に対する問題を避けるためには、手動選択を行う必要があるが、例えば、海外旅行など複数の国を短期間で移動する場合、その都度ユーザは手動選択の操作を行わなければならず、煩わしい作業が必要である。
【０００７】
さらには、ユーザが、手動選択を行うにあたり必要となる設定方法、およびどのローミング網を選択するのが適切かを判断する為の情報を事前に理解している必要がある。判断する為の情報としては、例えば、通話料や、パケット通信料、海外向けパケット通信料定額制サービス適用の有無、TV電話の使用が可能であるか否かなどがある。
【０００８】
このような問題に対処した技術として、特許文献１に記載されたローミング制御方法がある。このローミング制御方法では、ローミングの際に、移動通信端末をユーザの要求条件に適合したローミング網に接続させる目的で、移動通信端末が基地局からの電波を受信することにより、接続可能な複数のローミング網を検出し、検出したローミング網を特定する情報およびユーザの要求条件をホーム事業者が有するホーム網内のローミング制御装置に送信し、ローミング制御装置がこれらの受信した情報をもとにローミング網に関する情報を記憶したデータベースを参照し、接続すべきローミング網の優先度を決定し、移動通信端末に決定した優先度情報を送信し、移動通信端末が受信した優先度情報をもとに接続可能なローミング網のうちのいずれかに接続する。
【０００９】
しかしながら、このローミング制御方法では、移動通信端末は初めに基地局からの電波を受信して複数のローミング網の検出を行う必要がある。また、ローミング網情報を格納しないため、新たにローミングを行う可能性がある際、例えば電源を入れた際や接続しているローミング網が圏外と検出された際に、ローミング網に関するデータベースが更新されていない場合においても前述の処理を行う。よって、国際ローミングを利用する際に、ユーザの要求に応じた適切なローミング網の選択を容易かつ迅速に行えないという問題がある。
【発明の概要】
【発明が解決しようとする課題】
【００１０】
本発明は、このような問題を解決するためになされたものであり、その目的は、移動通信端末により国際ローミングを利用する際に、ローミング網の選択を迅速に行えるようにすることである。
【課題を解決するための手段】
【００１１】
本発明の移動通信端末は、国際ローミングを利用可能な移動通信端末であって、基地局を介さずに自身の位置情報を取得する位置情報取得手段と、ホーム事業者が提携するローミング事業者のエリア情報を含むローミング網情報を記憶するローミング網情報記憶手段と、前記位置情報取得手段により取得された位置情報、および前記ローミング網情報記憶手段に記憶されているエリア情報をもとにローミング網を選択するローミング網選択手段と、を備える移動通信端末である。
【発明の効果】
【００１２】
本発明によれば、移動通信端末により国際ローミングを利用する際に、ローミング網の選択を迅速に行うことができる。
【図面の簡単な説明】
【００１３】
【図１】本発明の実施形態に係る移動通信端末の使用環境を示す図である。
【図２】本発明の実施形態に係る移動通信端末の構成を示すブロック図である。
【図３】本発明の実施形態に係るローミング網情報の一例を示す図である。
【図４】本発明の実施形態に係るユーザ要求の一例を示す図です。
【図５】本発明の実施形態に係るローミング管理サーバの構成を示すブロック図である。
【図６】本発明の実施形態に係る基本的なローミング網選択フローを示す図である。
【図７】本発明の実施形態において、ユーザ要求の更新と選択したローミング網の情報の出力を行う場合のローミング網選択フローを示す図である。
【図８】本発明の実施形態において、移動通信端末がローミング網情報を手動取得する手順を示す図である。
【図９】本発明の実施形態において、移動通信端末がローミング網情報を手動取得する手順を示す図である。
【図１０】本発明の実施形態において、移動通信端末がローミング管理サーバから更新通知を受けたときにローミング網情報を自動取得する手順を示す図である。
【発明を実施するための形態】
【００１４】
以下、本発明の実施形態について図面を参照しながら説明する。
<移動通信端末の使用環境>
図１は本発明の実施形態に係る移動通信端末の使用環境を示す図である。
図示のように、本発明の実施形態に係る移動通信端末１は、第１国に設けられ、ローミング管理サーバ２を備えたホーム網３と、第１国とは異なる第２国に設けられたローミング網４と、GPS（Global Positioning System）衛星５を利用することができる。
【００１５】
図示しないが、ホーム網３およびローミング網４は基地局など従来の移動通信を行う為の設備を含む。また、移動通信端末１とローミング管理サーバ２が移動通信システムを構成する。
【００１６】
ホーム網３は、移動通信端末１の利用者が契約する通信事業者であるホーム事業者の有する通信ネットワークであり、ローミング管理サーバ２はホーム網３を介して移動通信端末１など、他のデバイスと情報のやりとりを行うことができる。
【００１７】
ローミング網４は、ホーム事業者がローミング提携を行っている通信事業者であるローミング事業者の有するネットワークである。そして、複数の異なるローミング事業者による複数のローミング網４a,４ｂが同じエリアをカバーすることがある。ローミング網４に関する情報であるローミング網情報はローミング管理サーバ２によって管理されている。
【００１８】
GPS衛星５は、移動通信端末１と通信を行い、移動通信端末１が自身の位置情報を取得する為の情報を提供する。
移動通信端末１とローミング管理サーバ２の詳細については、図２および図５を用いて後述する。
【００１９】
以下では、国際ローミングを利用する状況をもとに説明を行う。この場合、図示のように、移動通信端末１はホーム網３が存在する第１国とは異なる第２国におけるローミング網４内に存在するものとする。
【００２０】
<移動通信端末の構成>
図２は本発明の実施形態に係る移動通信端末の構成を示すブロック図である。
移動通信端末１は、位置情報取得部１１、記憶部１２、ローミング網選択部１３、ローミング網情報取得部１４、通信部１５、入力部１６、および出力部１７をその構成要素として含む。
【００２１】
位置情報取得部１１は、ホーム網３やローミング網４の基地局を介さずに例えばGPS衛星５を用いて移動通信端末１の位置情報を取得する手段である。これにより、移動通信端末１が位置する緯度および経度情報を得ることができる。
【００２２】
記憶部１２は、ローミング網情報、ローミング網４の選択に対するユーザ要求を含む各種情報、各種プログラムなどを記憶する手段であり、例えばRAMおよびROMなどからなる。
【００２３】
ここで、ローミング網情報およびユーザ要求について説明する。
ローミング網情報は、ホーム事業者が提携するローミング事業者に対する識別情報およびエリア情報およびサービス情報を含むリストであり、どのローミング事業者がどのエリアに対してどのようなサービスを提供するかを示す。
【００２４】
図３は本発明の実施形態に係るローミング網情報の一例を示す図である。図示のように、識別情報としてローミング事業者名を、エリア情報として国名を、サービス情報として、通信方式および海外向けパケット通信料定額制サービス適用の有無およびTV電話の可否および通話料およびパケット通信料およびエリア情報に記載した国におけるカバーエリアの広さを示す。そして、ローミング網情報取得部１４により、図５に示すローミング管理サーバ２の記憶部２１にあるローミング網情報を取得して更新することもできる。
【００２５】
ユーザ要求は、移動通信端末１のユーザがローミング網４を選択する基準となる優先条件を示すものである。さらには、ユーザ要求はローミング網情報のサービス情報に対する要求を示すものである。そして、入力部１６よりユーザ要求に対する指示があれば、ユーザ要求の内容を更新して記憶することができる。
【００２６】
図４は本発明の実施形態に係るユーザ要求の一例を示す図である。ユーザ要求の内容は例えば、要求項目とその要求項目に対する優先順位からなり、図３に示したようなローミング網情報に対する要求項目と優先順位としては、図４に示すように、海外パケット通信料定額、TV電話、スピード、通話料、パケット通信料、カバーエリアと各項目に対する順位となる。
【００２７】
ここで、海外パケット通信料定額とは海外向けパケット通信料定額サービス適用が有であること、TV電話とはTV電話が可であること、スピードとは転送レートの高い通信方式に対応していること、通話料とは通話料が安いこと、パケット通信料とはパケット通信料が安いこと、カバーエリアとはカバーエリアが広いことを意味する。そして、この図の場合、ローミング網を選択する際の優先順位が高い方から順に、海外パケット通信料定額＞カバーエリア＞スピード＞通話料＞TV電話＞パケット通信料となる。
【００２８】
図２の説明に戻る。ローミング網選択部１３は、移動通信端末１がローミングを利用するにあたり、位置情報取得部１１で取得した位置情報と記憶部１２に記憶するローミング網情報とユーザ要求をもとにローミング網４を選択する手段である。ローミング網選択のフローについては図６および図７を用いて後述する。
【００２９】
ローミング網情報取得部１４は、ローミング管理サーバ２が管理するローミング網情報を取得し、記憶部１２に記憶されているローミング網情報を更新するための手段である。ローミング網情報取得のフローについては図８乃至図１０を用いて後述する。
【００３０】
通信部１５は、基地局と移動通信端末１が無線通信を行い、移動通信端末１が基地局を介してローミング管理サーバ２や他の移動通信端末などと情報をやり取りするための手段である。
【００３１】
入力部１６は、ユーザが各種指示を入力するための手段であり、例えばキーやディスプレイやマイクなどである。ユーザは入力部１６を操作することで、ローミング網情報取得の指示やユーザ要求更新の指示などを行うことができる。
【００３２】
出力部１７は、移動通信端末１内の情報を出力してユーザに報知する手段であり、例えばスピーカーやディスプレイなどである。本実施形態では選択したローミング網情報も出力する。
【００３３】
<ローミング管理サーバの構成>
図５は本発明の実施形態に係るローミング管理サーバ２の構成を示すブロック図である。ローミング管理サーバ２は、記憶部２１、ローミング網情報要求処理部２２、ローミング網情報更新通知部２３、および通信部２４をその構成要素として含む。
【００３４】
記憶部２１は、最新のローミング網情報など、移動通信端末１にローミングの提供を行うための情報を記憶する手段であり、例えばRAMおよびROMなどからなる。ローミング網情報要求処理部２２は、移動通信端末１からローミング網情報取得の要求を受信したとき、記憶部２１に記憶されているローミング網情報を移動通信端末１に送信する手段である。
【００３５】
ローミング網情報更新通知部２３は、記憶部２１に記憶されているローミング網情報が更新されたとき移動通信端末１へローミング網情報更新の通知を送信する手段である。
【００３６】
通信部２４は、ホーム網３を介して移動通信端末１など、他のデバイスと通信を行い、情報をやり取りする手段である。
ローミング網情報要求処理部２２およびローミング網情報更新通知部２３の動作の詳細については後述する。
【００３７】
<基本的なローミング網選択フロー>
図６は本発明の実施形態に係る基本的なローミング網選択フローを示す図である。この図のフローは、図４および図５に示したローミング網情報およびユーザ要求を用いて行われる。
【００３８】
移動通信端末１は、まず位置情報取得部１１により自身の位置情報を取得する（ステップＳ１）。次に、取得した位置情報を用いて、記憶部１２にあるローミング網情報を解析し、位置情報が示す地点を含むエリア情報に該当するローミング網を選択する（ステップＳ２）。
【００３９】
例えば、取得した位置情報が国Ａ内の地点の場合、エリア情報が国Ａに該当するローミング網が選択され、事業者Aの１つのローミング網、事業者Bの２つのローミング網、および事業者Cの１つのローミング網からなる４つのローミング網が選択される。
【００４０】
次に、選択したローミング網が複数であったか否かを判断する（ステップＳ３）。判断の結果、複数であった場合（ステップＳ３：Yes）、選択したローミング網の中から記憶部１２に記憶されているユーザ要求のうち最も高いユーザ要求も含めてさらに解析し、ユーザ要求に合ったローミング網を選択する（ステップＳ４）。図４においては、優先順位が最も高い要求項目が海外パケット通信料定額であるため、図３に示す海外パケット通信料定額情報が“有”である事業者Bの２つのローミング網が選択される。
【００４１】
ステップＳ４を実行した後、ステップＳ３へ移行し、選択したローミング網が複数であったか否かを再度判断する。選択したローミング網が再度複数であった場合（ステップＳ３：Yes）、次に優先順位が高いユーザ要求をもとにローミング網を選択する（ステップＳ４）。
【００４２】
１つのローミング網が選択される（ステップＳ３：No）まで、ステップＳ３：Yes→ステップＳ４→ステップＳ３を繰り返す。図４の場合、優先順位が２位である要求項目がカバーエリアであるため、カバーエリアが“中”である事業者Bのローミング網が選択される。
【００４３】
<ユーザ要求の更新および選択したローミング網の情報の出力を含むローミング網選択フロー>
図７はユーザ要求の更新と選択したローミング網の情報の出力を行う場合のローミング網選択フローを示す図である。
【００４４】
移動通信端末１において、入力部１６からユーザ要求更新の指示が入力された場合（ステップＳ１１：Yes）、記憶部１２に記憶されているユーザ要求を新しく指示されたユーザ要求に置き換える（ステップＳ１２）。例えば、図４において優先順位２位がスピードに、優先順位３位がカバーエリアに更新された場合が考えられる。
【００４５】
ユーザ要求更新の指示がなかった場合（ステップＳ１１：No）、あるいはユーザ要求を新しく指示されたユーザ要求に置き換えた場合、移動通信端末１は位置情報取得部１１により自身の位置情報を取得する（ステップＳ１３）。
【００４６】
次に、取得した位置情報を用いて、記憶部１２に記憶されているローミング網情報を解析し、位置情報が示す地点を含むエリア情報に該当するローミング網を選択する（ステップＳ１４）。図６と同様に、取得した位置情報が国Ａ内の地点であったとすると、エリア情報が国Ａに該当するローミング網が選択され、事業者Aの１つのローミング網、事業者Bの２つのローミング網、および事業者Cの１つのローミング網からなる４つのローミング網が選択される。
【００４７】
選択したローミング網が複数であった場合（ステップＳ１５：Yes）、選択したローミング網の中から記憶部１２に記憶されているユーザ要求のうち最も高いユーザ要求も含めてさらに解析し、ユーザ要求に合ったローミング網を選択する（ステップＳ１６）。図６と同様に、優先順位が最も高い要求項目が海外パケット通信料定額であるため、海外パケット通信料定額情報が“有”である事業者Bの２つのローミング網が選択される。
【００４８】
次にステップＳ１５に移行し、選択したローミング網が複数であったか否かを再度判断する。判断の結果、再度複数であった場合（ステップＳ１５：Yes）、次に優先順位が高いユーザ要求をもとにローミング網を選択する（ステップＳ１６）。
【００４９】
１つのローミング網が選択される（ステップＳ１５：No）まで、ステップＳ１５：Yes→ステップＳ１６→ステップＳ１５を繰り返す。図６と異なり、優先順位が2位の要求項目がスピードであるため、通信方式が“HSDPA”（High Speed Downlink Packet Access）である事業者Bのローミング網が選択される。
【００５０】
最終的に選択されたローミング網の情報（ローミング網情報）を出力部１７から出力する（ステップＳ１７）。先程の例の場合、エリア：国A、ローミング事業者：事業者B、通信方式：HSDPA、海外パケット通信料定額：有、TV電話：可、通話料250円、カバーエリア：小という情報が出力部１７から出力される。
【００５１】
<ローミング網情報の手動取得>
図８は本発明の実施形態において、移動通信端末がローミング網情報を手動取得する手順を示す図である。
【００５２】
移動通信端末１では、ユーザにより入力部１６からローミング網情報取得の指示を受けると（ステップＳ２１）、ローミング網情報取得部１４が通信部１５を通してローミング管理サーバ２にローミング網情報取得要求を送信する（ステップＳ２２）。
【００５３】
ローミング管理サーバ２では、ローミング網情報要求処理部２２が通信部２４を通して、ローミング網情報取得要求を受信し、移動通信端末１に記憶部２２に記憶されているローミング網情報を送信する（ステップＳ２３）。
【００５４】
移動通信端末１では、ローミング網情報取得部１４がローミング網情報を通信部１５経由で受信し、記憶部１２に記憶されているローミング網情報を受信したローミング網情報に置き換える（ステップＳ２４）。出力部１７は受信したローミング網情報を出力する（ステップＳ２５）。
【００５５】
<更新されたローミング網情報の手動取得>
図９は本発明の実施形態において、移動通信端末がローミング網情報を手動取得する手順を示す図である。
【００５６】
ローミング管理サーバ２では、記憶部２１に記憶されているローミング網情報の更新に伴い、ローミング網情報更新通知部２３が通信部２４を通して移動通信端末１にローミング網情報更新通知を送信する（ステップＳ３１）。
【００５７】
移動通信端末１では、通信部１５がローミング管理サーバ２からローミング網情報更新通知を受信すると、出力部１７よりローミング網情報の更新があることを出力する（ステップＳ３２）。次にローミング網情報取得部１４が、通信部１５を通してローミング管理サーバ２へローミング網情報取得要求を送信する（ステップＳ３３）。
【００５８】
ローミング管理サーバ２では、ローミング網情報要求処理部２２が、通信部２４を通して、ローミング網情報取得要求を受信し、移動通信端末１に記憶部２１に記憶されているローミング網情報を送信する（ステップＳ３４）。
【００５９】
移動通信端末１では、ローミング網情報取得部１４がローミング網情報を通信部１５経由で受信し、記憶部１２に記憶されているローミング網情報を受信したローミング網情報に置き換える（ステップＳ３５）。出力部１７は受信したローミング網情報を出力する（ステップＳ３６）。
【００６０】
<更新されたローミング網情報の自動取得>
図１０は本発明の実施形態において、移動通信端末がローミング管理サーバ２から更新通知を受けたときにローミング網情報を自動取得する手順を示す図である。
【００６１】
ローミング管理サーバ２では、記憶部２１に記憶されているローミング網情報の更新に伴い、ローミング網情報更新通知部２３が通信部２４経由で移動通信端末１にローミング網情報更新通知を送信する（ステップＳ４１）。
【００６２】
移動通信端末１では、通信部１５がローミング管理サーバ２からローミング網情報更新通知を受信すると、出力部１７よりローミング網情報の更新があることを出力する（ステップＳ４２）。
【００６３】
次に移動通信端末１では、ローミング網情報取得部１４が、ユーザにより入力部１６からローミング網情報取得の指示を受け（ステップＳ４３）、ローミング管理サーバ２へローミング網情報取得要求を通信部１５経由で送信する（ステップＳ４４）。
【００６４】
ローミング管理サーバ２では、ローミング網情報要求処理部２２が、通信部２４を通して、ローミング網情報取得要求を受信し、移動通信端末１に記憶部２２に記憶されているローミング網情報を送信する（ステップＳ４５）。
【００６５】
移動通信端末１では、ローミング網情報取得部１４が通信部１５経由でローミング網情報を受信し、記憶部１２に記憶されているローミング網情報を受信したローミング網情報に置き換える（ステップＳ４６）。出力部１７は受信したローミング網情報を出力する（ステップＳ４７）。
【００６６】
以上詳細に説明したように、本発明の実施形態に係る移動通信システムには、下記（１）〜（９）の特徴がある。
（１）移動通信端末１は、国際ローミングを行うにあたり、GPS機能を用いることで基地局を介さずに自身の位置情報を取得し、記憶しているホーム事業者が提携するローミング事業者に対する識別情報およびエリア情報およびサービス情報を含むリストであるローミング網情報と取得した位置情報とをもとにローミング提携先のローミング網を選択し、さらに、それらが複数ある場合、記憶しているローミング網の選択に対するユーザ要求をもとにローミング網の選択を行うので、国際ローミングを利用する際に、ユーザの要求に適合するローミング網を迅速かつ容易に選択することができる。
（２）移動通信端末１の記憶部１２は、ユーザ要求としてローミング網のサービス情報に対する要求を記憶するので、ユーザはサービス内容に応じたローミング網を選択することができる。
（３）移動通信端末１の記憶部１２は、ユーザからユーザ要求を更新する指示があった場合にユーザ要求を更新するので、ユーザはユーザ要求を柔軟に変更することができる。
（４）移動通信端末１は、選択したローミング網のローミング網情報を出力部１７から出力するので、ユーザが選択したローミング網のローミング網情報を確認することができる。
（５）ローミング管理サーバ２は、移動通信端末１からローミング網情報取得要求を受信すると、記憶部２１に記憶しているローミング網情報を移動通信端末１に送信するので、移動通信端末１からの要求に応じて最新のローミング網情報を提供することができる。
（６）ローミング管理サーバ２は、ローミング網情報の更新があると、移動通信端末１にローミング網情報更新を通知するので、移動通信端末１のユーザはローミング網情報の更新があったことを知ることができる。
（７）移動通信端末１は、ユーザの指示に基づいてローミング管理サーバ２へローミング網情報取得要求を送信し、ローミング管理サーバ２からローミング網情報を受信し、記憶部１２に記憶されているローミング網情報を受信したローミング網情報に置き換えるローミング網情報取得部１４を備えるので、ユーザは最新のローミング網情報に基づいてローミング網を選択することができる。
（８）移動通信端末１のユーザは、その出力部１７により、ローミング網情報の更新があったこと、および更新されたローミング網情報を知ることができる。
（９）移動通信端末１のユーザは、ローミング管理サーバ２からローミング網情報を取得の方法として手動取得、自動取得を任意に選択することができる。
【符号の説明】
【００６７】
１…移動通信端末、２…ローミング管理サーバ、３…ホーム網、４,4a,4b…ローミング網、５…GPS衛星、１１…位置情報取得部、１２，２１…記憶部、１３…ローミング網選択部、１４…ローミング網情報取得部、１５，２４…通信部、１６…入力部、１７…出力部、２２…ローミング網情報要求処理部、２３…ローミング網情報更新通知部。
【先行技術文献】
【特許文献】
【００６８】
【特許文献１】特許第４２８３８１８号公報
【図１】
2013197729.tif 000003
【図２】
2013197729.tif 000004
【図３】
2013197729.tif 000005
【図４】
2013197729.tif 000006
【図５】
2013197729.tif 000007
【図６】
2013197729.tif 000008
【図７】
2013197729.tif 000009
【図８】
2013197729.tif 000010
【図９】
2013197729.tif 000011
【図１０】
2013197729.tif 000012